(57)【要約】【課題】  主管導水管を切断することなく、主管導水管の任意の場所で自在に枝管導水管を固定し分岐通水することが可能な導水管接続部材を提供する。【解決手段】  管側壁が通水性を有する主管導水管と管側壁が通水性を有する枝管導水管を接続固定するための導水管接続部材であって、導水管接続部材が主管導水管の表面の一部を露出した状態で主管導水管と枝管導水管を接続固定することを特徴とする導水管接続部材である。    【選択図】図３
2014084661.tif 000002
【特許請求の範囲】
【請求項１】
管側壁が通水性を有する主管導水管と枝管導水管を接続固定するための導水管接続部材であって、導水管接続部材が主管導水管の表面の一部を露出した状態で主管導水管と枝管導水管を接続固定することを特徴とする導水管接続部材。
【請求項２】
導水管接続部材が略Ｔ字型であって、その主管導水管接続部分がクリップ形状を有し、枝管導水管接続部分がコイル形状を有する請求項１に記載の導水管接続部材。
【請求項３】
前記クリップ形状の断面が１／２周〜３／４周の円弧形を有する請求項２に記載の導水管接続部材。
【請求項４】
前記コイル形状がらせん形状を有する請求項２または３に記載の導水管接続部材。
【請求項５】
導水管接続部材が略Ｔ字筒型管であって、少なくともその側面に開口部が存在している請求項１に記載の導水管接続部材。
【請求項６】
導水管接続部材の開口部が、略Ｔ字筒型管の筒断面外周の１／４周〜１／２周開口し、かつ少なくとも導水管接続部材の主管導水管の接続方向に連続して開口している請求項５に記載の導水管接続部材。
【請求項７】
主管導水管が樹脂線材と繊維材によって構成される請求項１〜６いずれか１項に記載の導水管接続部材。
【請求項８】
請求項１〜７いずれか１項に記載の導水管接続部材により固定された導水管構造。
【請求項９】
請求項８の導水管構造が埋設された埋設構造物。
【請求項１０】
埋設構造物が排水性舗装体、道路、橋梁のいずれかである請求項９記載の埋設構造物。
【発明の詳細な説明】
【技術分野】
【０００１】
本発明は、各種の排水性舗装体およびモルタル・コンクリート、土壌などに埋設し、浸透雨水を排水する導水管において、主管導水管を切断することなく主管導水管の通水側面に枝管導水管を固定することができる導水管接続部材に関する。
【背景技術】
【０００２】
従来、各種の排水性舗装体およびモルタル・コンクリート、土壌などに埋設し、浸透雨水を排水する導水管は、一般的に横断勾配下流側の構造物側辺に沿わせて、排水枡などの排水系に接続配管して使用している。この構造は、横断勾配と縦断勾配からなる合成勾配に沿って流動してくる浸透した雨水などを導水管で受け止め、縦断勾配に則して排水系へ排出する構造が一般的な排水性舗装体における導水管設置方法として認知されている。
しかしながら、一般道における排水性舗装体においては、横断勾配が極端に少ない場合（およそ０．５％未満）および、縦断勾配が非常に大きい場合（およそ４．０％以上）、さらには雨水などの滞留が構造劣化を促進する恐れの高い橋梁などにおいて、主管導水管から枝管導水管を横断方向に分岐させ、速やかに排水する方法として用いられる場合が多くなってきた。
【０００３】
上記、主管導水管から枝管導水管を横断方向に分岐させる方法としては、現場対策手法として考案された、導水管が挿入可能な水道管用チーズなどを適時利用して分岐が為されていた。例えば、外径１４ｍｍΦの導水管であれば外径２０ｍｍΦの水道管用チーズを分岐部材となり、厚さ４ｃｍ以下の薄層舗装体においては、分岐部材や該部材によって接続固定された導水管が時間経過とともに露出する可能性が懸念された。さらには、作業手間の面からも、主管導水管を分岐部分で切断し、分岐導水管と分断した主管導水管をそれぞれチーズ孔に挿入してテープ等で固定するという手間が必要であった。
【０００４】
このような問題に対し、主管導水管を切断することなく、主管導水管の任意の場所で自在に枝管導水管を固定し分岐通水することが可能な導水管接続部材が求められていた。
【発明の概要】
【発明が解決しようとする課題】
【０００５】
本発明の目的は、主管導水管を切断することなく、主管導水管の任意の場所で自在に枝管導水管を固定し分岐通水することが可能な導水管接続部材および該接続部材によって固定された導水管構造を提供することにある。
【課題を解決するための手段】
【０００６】
すなわち本発明は、管側壁が通水性を有する主管導水管と枝管導水管を接続固定するための導水管接続部材であって、導水管接続部材が主管導水管の表面の一部を露出した状態で主管導水管と枝管導水管とを接続固定することを特徴とする導水管接続部材である。
【０００７】
そして、好ましくは、導水管接続部材が略Ｔ字型であって、その主管導水管接続部分がクリップ形状を有しており、さらに前記クリップ形状の断面が１／２周〜３／４周の円弧形を有するものである。また、枝管導水管接続部分がコイル形状を有するものであることが好ましく、枝管導水管を固定するコイル形状がらせん形状を有していることがさらに好ましい。
【０００８】
また、別の形態としては、導水管接続部材が略Ｔ字筒型管の少なくとも側面に開口部が存在した形状を有しており、さらに、前記開口部が略Ｔ字筒型管の筒断面外周の１／４周〜１／２周開口し、かつ主管導水管の接続方向に連続して開口していることが好ましい。
【０００９】
加えて、導水管接続部材によって接続固定される主管導水管が樹脂線材と繊維材によって構成されていることが好ましい。
【００１０】
本発明は、前記導水管接続部材によって固定された導水管構造や、前記導水管構造が埋設された埋設構造物も包含する。該埋設構造物は、排水性舗装体、道路、橋梁のいずれかであってもよい。
【発明の効果】
【００１１】
本発明の導水管接続部材を用いることにより、主管導水管を切断することなく、該主管導水管の任意の場所で枝管導水管を接続することが可能となる。また枝管導水管の接続部に治具を用いなくても、主管導水管との接続が可能となる。
【図面の簡単な説明】
【００１２】
【図１】本発明の導水管接続部材の一形態を示す図である。
【図２】本発明の導水管接続部材の別の一形態を示す斜視図である。
【図３】本発明の導水管接続部材によって、主管導水管と枝管導水管とが接続された導水管構造の一例を示す斜視図である。
【発明を実施するための最良の形態】
【００１３】
本発明の実施形態を図面に基づいて説明する。
まず、本発明の導水管接続部材を図１、図２および図３によって説明する。
【００１４】
本発明の導水管接続部材は、図３に示すように、管側壁が通水性を有する主管導水管と枝管導水管を接続固定するための導水管接続部材であって、該主管導水管と該枝管導水管の接続部分において、主管導水管の表面の一部を露出した状態で接続固定することを特徴とする。
主管導水管の表面の一部が露出した状態で接続固定することは、主管導水管を切断することなく、該主管導水管の任意の場所で枝管導水管を接続することが可能となる点で重要であり、また、導水管接続部材によって接続された主管導水管と枝管導水管とを構造物に埋設した際に、主管導水管が埋設構造物を透過した水を効率的に回収することが可能となる上でも重要である。
【００１５】
導水管接続部材は図１〜図３に示すように、略Ｔ字型を有していることが好ましい。
略Ｔ字形状を有することにより、道路、橋梁等の構造物に該接続部材で固定した導水管を埋設する際に縦断方向に主管導水管を、横断方向に枝管導水管をそれぞれ配置させることが容易となり、好ましい。
ここで略Ｔ字形状とは、主管導水管接続部分に接続固定された主管導水管の長さ方向と枝管導水管接続部分に接続固定された枝管導水管の長さ方向とのなす角度が３０°〜１５０°となるような導水管接続部材の形状をいう。前記、主管導水管接続部分に接続固定された主管導水管の長さ方向と枝管導水管接続部分に接続固定された枝管導水管の長さ方向とのなす角度は６０°〜１２０°であることが好ましく、７５°〜１０５°であることが更に好ましい。
【００１６】
本発明の導水管接続部材は、各種の排水性舗装体およびモルタル・コンクリート、土壌等各種の構造物に埋設し、浸透雨水を排水する導水管における枝分岐配管を自在かつ容易に行う部材であり、最たる導水管の使途である排水性アスファルト合材は舗装時の温度が１７０℃前後であり、限定されるものではないが本発明の導水管接続部材は、１７０℃前後で変形しない耐熱性を有することが好ましい。
【００１７】
導水管接続部材（以下、単に接続部材と記載する場合もある。）の材質としては、限定されるものではないが、前述した様に耐熱性を有すること、および、導水管用途として防錆性を有することが好ましく、また線材としての反発弾性を考慮すると、接続部材を構成するコイルは、金属線を採用する場合はメッキ加工した高鋼線、ステンレス鋼線などの線材からなることが、樹脂線を採用する場合は、ポリエステルモノフィラメント、ポリプロピレンモノフィラメント、ポリアミドモノフィラメントなどの線材からなることが、汎用性から好適である。
特に得られる接続部材の軽量性、防錆性、耐熱性、クリップ固定力、さらにはコンパクト化が可能であって、例えば薄厚の舗装道路等にも埋設が容易となる点から、ステンレス鋼材からなることがより好ましい。
【００１８】
本発明の導水管接続部材の形態としては図２に示すように、該接続部材の主管導水管接続部分がクリップ形状を有していることが好ましい。クリップ形状を有することにより、主管導水管を切断することなく、該主管導水管の任意の場所で枝管導水管を接続することが容易となる。
また、主管導水管接続部分がクリップ形状を有することは、クリップを構成する線材と線材との隙間を通して該接続部材に固定した導水管が水を回収することがより容易となる点でも好ましい。
【００１９】
前記クリップ形状の断面は１／２周〜３／４周の円弧形を有することが好ましい。クリップ形状の断面が３／４周以下の円弧形を有することにより、導水管を切断することなく接続部材に導水管を容易に固定させることが可能となり好ましい。また１／２周以上の円弧形を有することにより、接続部材に導水管を強固に固定させることが容易となり、接続部材で固定された導水管を移動させたり、構造物に埋設させたりする際に、接続部材からの導水管の脱離を防止することが容易となるため好ましい。本発明の目的は主管導水管を切断することなく、主管導水管と枝管導水管とを接続固定させることであり、その意味からも特に導水管接続部材の主管導水管を固定するクリップ形状の断面が１／２周〜３／４周の円弧形を有することが好ましい。
【００２０】
接続部材の主管導水管を固定するためのクリップの個数は制限されるものではないが、図２に記載の通り、枝管導水管接続部分を挟んで導水管１本の固定につき２個以上有していることが導水管の固定安定性の点から好ましい。
【００２１】
また、導水管接続部材の枝管導水管接続部分はコイル形状を有していることが、接続部材からの枝管導水管の脱落を防止できたり、コイルや接続部材の生産性に優れたりする点で好ましい。さらにコイル形状は２周以上のらせん形状を有していることが、導水管の固定安定性の点から好ましい。
【００２２】
前記クリップ及びコイルを構成する線材の直径は、接続固定する導水管の外径や、埋設構造物の体積や厚みによっても異なるものの、０．８ｍｍ〜２．０ｍｍの範囲にあることが好ましい。クリップやコイルを構成する線材の直径が前記範囲にあることで、クリップやコイルの導水管の固定力や接続部材としての強度特性や弾性特性を十分確保し、かつ接続部材の大きさが過度に大きくならず構造物へ埋設することを容易にすることができる。
【００２３】
クリップ内径及びコイル内径は、直径で８ｍｍ〜４０ｍｍであることが導水管を接続部材に固定化させる際の作業特性に優れており、かつ接続部材がコンパクト性を維持する等の理由で好ましい。さらに該クリップ内径及び該コイル内径は導水管外径に対して同一かあるいか２ｍｍ以下で小さいことが導水管と接続部材との固定性や固定時の作業性、さらには導水管の断面形状を維持すること等を総合すると好ましい。
【００２４】
本発明の接続部材の別の一形態としては、図１に示すような、略Ｔ字筒型管であって、少なくとも側面に開口部が存在していることが好ましい。前記の構造を有する略Ｔ字筒型管であることによって、接続部材によって導水管が固定されている部位においても、埋設構造物を浸透した水が主管導水管の表面が露出している部分を通して導水管内に浸透することが可能となり、好ましい。
さらに、導水管接続部材の開口部が、略Ｔ字筒型管の筒断面外周の１／２周〜３／４周開口し、かつ少なくとも導水管接続部材の主管導水管の接続方向に連続していることが、導水管を該開口部から挿入することが可能となり、接続部材によって導水管を固定させるための作業が容易となる点で好ましい。
【００２５】
筒型管の内径は、直径で８ｍｍ〜４０ｍｍであることが導水管を接続部材に固定化させる際の作業特性に優れており、かつ接続部材がコンパクト性を維持する等の理由で好ましい。さらに該筒型管の内径は導水管外径に対して同一かあるいか２ｍｍ以下で小さいことが導水管と接続部材との固定性や固定時の作業性、さらには導水管の断面形状を維持すること等を総合すると好ましい。
【００２６】
前記略Ｔ字筒型管は、アスファルト等の構造物製造時の熱履歴特性を加味すると１７０℃程度で熱変形や融解が発生しない限りにおいては、その材質が限定されるものではないが、長期間に亘って強度特性や防錆特性が求められることから、金属または樹脂からなることが好ましい。
その中でも金属としてはアルミニウム・真鍮・銅・メッキ加工した鉄・ステンレスなどが防錆性や軽量性、さらには経済性から好適であり、樹脂としてはポリプロピレン、ポリエステル、ポリアミドなどが、原料入手や加工容易性から好適である。
【００２７】
本発明の導水管接続部材による主管導水管への枝管導水管の接続は、主管導水管側部を介して枝管導水管への水路が形成されるものであるが、導水管接続部材によって接続固定された導水管を舗装体等の構造物へ埋設する際に、埋設構造物への打設圧力によって、枝管導水管内への舗装体等の埋設構造物流入および接続固定された主管導水管と枝管導水管とが位置ズレする懸念があり、限定されるものではないが、接続部材によって接続された接続部を養生テープで包むことが好ましい。
【００２８】
本発明の導水管接続部材によって固定される導水管構造を構成する導水管は、管側壁が通水性を有し、管内に沿って水が流れるのであれば特に限定されるものではないが、例えば導水管が樹脂線材と繊維材とからなり、導水管表面に空隙を有する中空管の構造であってもよい。そして樹脂線材が０．５〜２．５ｍｍ径の樹脂製モノフィラメントであり、繊維材が１〜２００ｄｔｅｘのフィラメントが２０〜２００００本の範囲で集束したマルチフィラメントである導水管が柔軟性を有し、かつ導水管構造が構造物に埋設された際にも管が潰れてしまう恐れが低く、さらには導水管構造が埋設された埋設構造物を解体再生する際にも燃焼分解が容易である点から好ましい。
なお、繊維材がマルチフィラメントである場合の両者の本数比としては、前者：後者＝１：２〜２：１であることが導水管の形状保持性に優れる点で好ましい。
また、樹脂線材と繊維材とによって構成される導水管表面の空隙については、個々の空隙が２ｍｍ２以下であることがコンクリートに導水管を埋設した際に硬化前のコンクリートの導水管内への導入を低減化させる意味で好ましい。  
【００２９】
本発明の導水管接続部材により固定された導水管構造は埋設構造物に埋設して使用することが可能である。舗装道路や橋梁等の構造物に埋設する場合、埋設構造物の長さ方向に沿って主管導水管が配置し、長さ方向と略垂直方向に枝管導水管が配置するように埋設してもよい。主管導水管、枝管導水管ともに水平方向に対して傾斜がかかるように埋設してもよく、例えば前記のごとく枝管導水管や主管導水管を傾斜配置し、傾斜の下流方向に埋設構造物の排水溝を配置させて、埋設構造物を浸透した水が主管導水管や枝管導水管を経由して、排水溝に導かれるように埋設構造物を設計し、導水管接続部材により固定された導水管構造を埋設させてもよい。
【００３０】
導水管接続部材により固定された導水管構造を埋設することが可能な構造物は特に限定されることなくあらゆる構造物において可能であるが、前記導水管を埋設する目的や効果を加味すると、水透過性を有する埋設構造物が好ましい。特に排水性舗装体、モルタル・コンクリート、土壌等からなる埋設構造物が好ましい。
具体的な埋設構造物としては、道路、橋梁、橋脚、トンネル、ビルディング屋根部分、運動場等が挙げられるが、前記に限定されるものではない。
【００３１】
次に実施例により本発明をさらに具体的に説明するが、本発明は以下の実施例に限定されるものではない。
【実施例】
【００３２】
（実施例１）
２４錘の編組機を用いて、芯径１．２ｍｍ（断面円形）のポリエステルモノフィラメント１２錘と、９０００ｄｔｅｘのポリエステルマルチフィラメント１２錘とが、モノフィラメントの中央部にマルチフィラメントが入るように交合角度９０度で交互に編組した、内径１０ｍｍΦ、外径１５ｍｍΦの導水管を主管導水管および枝管導水管とし、線径１．０ｍｍΦのＳＵＳ３０４−ＷＰ（バネ用ステンレス鋼線）を曲げ加工することで、主管導水管側に最小内径１４．８ｍｍΦであって、クリップ断面が３／４周の円弧形断面であるクリップを４ヶ所有し、枝管導水管側に最小内径１５．０ｍｍΦである３周のらせん形状を有するクリップを有する、導水管接続部材を得た。前記４ヶ所のクリップに主管導水管を押し込み、３周のらせん形状を有するクリップ内に枝管導水管を押し込んで主管導水管側部に押し当てた状態で、幅５０ｍｍの養生テープで上下から挟み粘着固定した。この状態においてモルタルコンクリートを厚さ３０ｍｍで打設し接続部材が中央に埋設された、３００ｍｍ角（主管導水管３００ｍｍ長、枝管導水管１５０ｍｍ長）のコンクリート試験体を得た。
【００３３】
（分岐排水試験）
前記コンクリート試験体に対し、主管導水管側（舗装縦断方向）に１％の勾配と枝管導水管側（舗装横断方向）に２％の勾配を持たせるように配置し、主管導水管上流より１０００ｃｃの水を注ぎ込み主管導水管（勾配１％）下流側の水量と枝管導水管（勾配２％）下流側の水量を確認した。
【００３４】
（試験結果）
上記の分岐排水試験で注入した１０００ｃｃの水は、主管導水管（勾配１％）下流側１８０ｃｃ、枝管導水管（勾配２％）下流側８２０ｃｃで分岐排水された。
【００３５】
本発明の導水管接続部材は主管導水管を切断することなく、主管導水管と枝管導水管とを簡易に接続可能であって、該接続部材により固定された導水管構造は、主管導水管側部を介して枝管導水管に効率的に排水することが証明された。
【符号の説明】
【００３６】
１  主管導水管接続部分の開口部
２  枝管導水管接続部分の開口部
３  略Ｔ字筒型管である、導水管接続部材
４  クリップを構成する線材
５  クリップ形状を有する主管導水管接続部分
６  らせん形状を有する枝管導水管接続部分
７  略Ｔ字型であって、クリップ形状およびらせん形状を有する導水管接続部材
【産業上の利用可能性】
【００３７】
本発明の導水管接続部材は、通水性を有する各種導水管において、主管導水管を切断することなく、任意の位置で主管導水管にはめ込み、主管導水管の側部を介して枝管導水管への水路を形成するものであり、建設現場における現場施工の簡易化、融通性から、道路、橋梁等の埋設構造物に使用される導水管構造用の接続部材として有用である。
【図１】
2014084661.tif 000003
【図２】
2014084661.tif 000004
【図３】
2014084661.tif 000005